(57)【特許請求の範囲】
【請求項１】
製品が載置される載置部、
製品の取り出し方向が開放し、少なくとも一部が互いに対向する切り欠き部を含み、前記載置部の外縁の一部又は全部に設けられて、前記載置部に載置された製品の移動を許容しつつ移動範囲を制限する壁部、及び、
前記対向する切り欠き部の各々に接続されており、前記載置部に載置された製品を取り出す際に挟持するための空間を形成する延設部を有する第１部材と、
前記第１部材に取り付けられた場合に、前記載置部に載置された製品の移動を規制するように当該製品と当接する当接面、及び、
前記取り出し方向と逆の方向に突き出す突出部を有する第２部材とを備え、
前記突出部は、前記第２部材が前記第１部材に取り付けられた場合に、前記延設部に圧入されて嵌合している収納容器。
【請求項２】
前記突出部は、前記突き出す方向の端部に前記当接面が設けられている
請求項１に記載の収納容器。
【請求項３】
前記当接面は、前記対向する切り欠き部の間にわたって配置され、当該対向する切り欠き部の両端から中央近傍にかけて次第に凹んで湾曲し、これによって、前記対向する切り欠き部の間において前記載置部に載置された製品の一部と当接して、前記対向する切り欠き部の間における製品の移動を規制する
請求項１又は２に記載の収納容器。
【発明の詳細な説明】
【技術分野】
【０００１】
本発明は、製品が収納される容器に関する。
【背景技術】
【０００２】
製品の輸送において、製品の保護や輸送効率向上及び梱包作業効率化のために、収納トレイが用いられている。収納トレイには製品を収納するための製品を凹状の収納部が設けられており、収納部に製品が収納された収納トレイを多段に積重ねて、段ボールやコートボール等のケースに梱包して、製品が輸送される。
【０００３】
輸送中の振動や落下などの衝撃により、製品が収納部から飛び出し、破損したりするおそれがある。そこで、輸送中に電子部品が破損することを防止するために、電子部品を収納部に保持する収納容器が種々提案されている。
【０００４】
例えば、特許文献１には、ガルバノミラー・センサ・ユニット（ＧＳＵ）が収納される収納用トレイが記載されている。同文献に記載の収納用トレイには、ＧＳＵのハウジング及びガルボ部の長手方向のサイズよりも大きな収納幅を有する凹部を設けて収納部が設けられている。この収納部には、ＧＳＵの前後に延出されたハウジング保持部を圧入可能とする圧入部が設けられている。
【０００５】
また例えば、特許文献２には、携帯電話機に使用する液晶パネルを含む液晶表示装置のモジュール（ＬＣＤモジュール）の梱包トレイが記載されている。同文献に記載の梱包トレイの底面には、複数の支持部が形成され、相互に対向する２組の支持部により１つのＬＣＤモジュールが保持される。この梱包トレイにはハーフカットが形成されており、カッターの刃を当てることによってハーフカットに沿って亀裂を生じさせることができる。ハーフカットに沿って亀裂が生じると相互に対向する支持部が離れ、その間に保持されているＬＣＤモジュールの保持力が低下する。
【先行技術文献】
【特許文献】
【０００６】
【特許文献１】特開２００５−２９１７９号公報
【特許文献２】特開２００３−４０２７５号公報
【発明の概要】
【発明が解決しようとする課題】
【０００７】
しかしながら、引用文献１に記載の収納用トレイでは、ＧＳＵの前後に延出されたハウジング保持部が圧入部に圧入されているため、収納用トレイからＧＳＵを取り出すことが困難になる可能性がある。
【０００８】
また、引用文献２に記載の梱包トレイでは、ＬＣＤモジュールを取り出すために、ハーフカットに沿って亀裂を生じさせる必要がある。そのため、同文献に記載された梱包トレイからＬＣＤモジュールを取り出す際に、ハーフカットに沿って亀裂を生じさせる手間がかかる。
【０００９】
本発明は、上述の事情を鑑みてなされたもので、輸送中の振動や衝撃の影響を受けない程度に製品を保持しつつ、製品を容易に取り出すことが可能な収納容器を提供することを目的とする。
【課題を解決するための手段】
【００１０】
上記目的を達成するため、本発明に係る収納容器は、
製品が載置される載置部、
製品の取り出し方向が開放し、少なくとも一部が互いに対向する切り欠き部を含み、前記載置部の外縁の一部又は全部に設けられて、前記載置部に載置された製品の移動を許容しつつ移動範囲を制限する壁部、及び、
前記対向する切り欠き部の各々に接続されており、前記載置部に載置された製品を取り出す際に挟持するための空間を形成する延設部を有する第１部材と、
前記第１部材に取り付けられた場合に、前記載置部に載置された製品の移動を規制するように当該製品と当接する当接面、及び、
前記取り出し方向と逆の方向に突き出す突出部を有する第２部材とを備え、
前記突出部は、前記第２部材が前記第１部材に取り付けられた場合に、前記延設部に圧入されて嵌合している。
【発明の効果】
【００１１】
本発明によれば、第２部材には当接面が設けられており、それによって、載置部に載置された製品と当接してその移動を規制する。そのため、輸送中の振動や衝撃の影響を受けない程度に製品を保持することが可能になる。
【００１２】
また、延設部は、壁部に設けられた少なくとも一部が互いに対向する切り欠き部に接続されており、載置部に載置された製品を取り出す際に挟持するための空間を形成する。そのため、例えばピンセットなどの挟持具、指などを延設部内の空間に差し入れて、載置部に載置された製品を挟持して取り出すことができる。したがって、製品を容易に取り出すことが可能になる。
【図面の簡単な説明】
【００１３】
【図１】本発明の一実施形態に係る収納容器の外観斜視図である。
【図２】一実施形態に係る収納トレイの外観斜視図である。
【図３】一実施形態に係る蓋の外観斜視図である。
【図４】図３のＩ−Ｉ線における断面図である。
【図５】一実施形態に係る収納トレイに電子部品が配置されて蓋が組み付けられる状態を示す図である。
【図６】図５のII−II線における電子部品が配置された配置部の拡大断面図である。
【図７】図６に示す配置部に突出部が圧入されて、電子部品の本体の上面左辺に当接した状態を示す拡大断面図である。
【図８】突出部が図７に示す状態からさらに圧入され、それによって、電子部品の本体が図７に示す状態よりも載置部の中央へ移動した状態を示す拡大断面図である。
【図９】突出部が図８に示す状態からさらに圧入されて蓋が収納トレイに組み付けられた場合に、電子部品の本体が載置部の中央に位置づけられた状態を示す拡大断面図である。
【図１０】配置部の一変形例を示す図である。
【図１１】配置部の他の変形例を示す図である。
【図１２】突出部の一変形例を示す図である。
【図１３】突出部の他の変形例を示す図である。
【発明を実施するための形態】
【００１４】
本発明の一実施の形態に係る収納容器について、図を参照しつつ説明する。なお、前後上下左右の方向は、説明のために用いるものであって、本発明を限定する趣旨ではない。
【００１５】
本発明の一実施の形態に係る収納容器１０１は、製品としての電子部品が収納される容器であって、例えば樹脂製である。収納容器１０１は、図１の外観斜視図に示すように、それぞれの外縁が一致するように取り付けた収納トレイ１０２と蓋１０３とを備える。
【００１６】
収納トレイ１０２は、図２の外観斜視図に示すように、電子部品を出し入れするために上方が開放したトレイであって、複数の配置部１０６と、収容部１０７とを備える。同図では、８個の配置部１０６が左右方向に並設され、その中の最も右側に位置する配置部１０６に電子部品１０９が配置されている例を示す。
【００１７】
各配置部１０６は、同図に示すように、電子部品１０９の本体が載置される底面をなす載置部１１１と、載置部１１１の外縁に設けられる壁部１１２と、壁部１１２に接続される１対の延設部１１３とを備える。
【００１８】
載置部１１１は、上方から見た場合に、概ね矩形をなし、電子部品１０９の本体より大きい平面をなす。なお、載置部１１１は、例えばすり鉢状の湾曲面をなしてもよい。
【００１９】
壁部１１２は、載置部１１１の前後左右の外縁上で上下方向を向く壁面を形成する。壁部１１２は、上下方向には、載置部１１１に載置された電子部品１０９の本体より高い一定の高さを有する。
【００２０】
詳細には、後方の壁部１１２は載置部１１１の後方の辺上に、その左右方向の全幅にわたって設けられる。これにより、電子部品１０９の本体が後方へ移動すると後方の壁部１１２に当接するので、後方の壁部１１２より後方へ移動することができなくなる。
【００２１】
前方の壁部１１２は載置部１１１の前方の辺上に設けられる。前方の壁部１１２には、電子部品１０９を配置部１０６から取り出す際に電子部品１０９の本体から延びる細長い端子を通過させるために、電子部品１０９の取り出し方向である上方が開放した切り欠き部１１５ａが設けられている。切り欠き部１１５ａは、例えば上方から見た場合に、載置部１１１の左右の中心を介して対称な位置に設けられる。
【００２２】
そのため、前方の壁部１１２は載置部１１１の前方の辺のうち、左端及び右端の近傍に設けられることになるので、電子部品１０９の本体が前方へ移動すると、電子部品１０９の本体の前面の左端及び右端の近傍が前方の壁部１１２に当接する。したがって、電子部品１０９の本体は前方の壁部１１２より後方へ移動することができなくなる。
【００２３】
左の壁部１１２は、載置部１１１の左方の辺上において前後の壁部１１２の左端に接続して前後方向に延びて設けられ、上方が開放した切り欠き部１１５ｂを途中に有する。右の壁部１１２は、載置部１１１の右方の辺上において前後の壁部１１２の右端に接続して前後方向に延びて設けられ、上方が開放した切り欠き部１１５ｃを途中に有する。切り欠き部１１５ｂ及び１１５ｃの各々は、左右の壁部１１２の互いに対向する位置に設けられ、例えば上方から見た場合に、前後方向に載置部１１１の中心を介して対称な位置に設けられる。
【００２４】
このような左右の壁部１１２により、電子部品１０９の本体が左又は右へ移動すると左又は右の壁部１１２に当接するので、左の壁部１１２より左方へ移動することができなくなり、右の壁部１１２より右方へ移動することができなくなる。
【００２５】
したがって、壁部１１２により、載置部１１１に載置された電子部品１０９の本体は、載置部１１１の範囲内で移動することができる。すなわち、電子部品１０９の本体は、載置部１１１の範囲内での移動が許容されるとともに、その移動範囲は範囲に載置部１１１の範囲内に制限される。
【００２６】
延設部１１３の各々は、載置部１１１に接続する平面である同じ形状をなす底面と、その底面の外縁上に立設されており、切り欠き部１１５ｂ又は１１５ｃに接続する壁面とで囲まれた空間を形成する。この空間は、配置部１０６に配置された電子部品１０９を取り出す際に、その電子部品１０９の対向する左右の壁面を人の指やピンセットなどの挟持具を挿入できる程度の大きさがあればよい。
【００２７】
例えば、延設部１１３の各々は、上方から見た場合に、概ね楕円を長軸方向に対称な位置で３分割した場合の左部分又は右部分の形状をなす。
【００２８】
なお、延設部１１３の底面は、載置部１１１に載置された電子部品１０９の本体の高さより低ければ、載置部１１１より高い位置に設けられてもよい。延設部１１３の底面及び壁面は湾曲していてもよく、それによって、滑らかに接続されてもよい。
【００２９】
収容部１０７は、上方が開放した概ね直方体の１つの空間を形成する。収容部１０７は、各切り欠き部１１５ａを介して載置部１１１に接続する平面である底面と、その底面の外縁に沿って立設され、切り欠き部１１５ａの間及び両端に接続する壁面とで囲まれている。これにより、収容部１０７は、配置部１０６のすべてに電子部品１０９が配置された場合に、切り欠き部１１５ａを介して配置されるすべての端子を１つの空間でまとめて収容する。
【００３０】
蓋１０３は、収納トレイ１０２に取り付けられた場合に、図１に示すように、その外縁が収納トレイ１０２の外縁と一致する大きさを有し、収納トレイ１０２の開放した上方を塞ぐ。
【００３１】
蓋１０３は、図３の外観斜視図に示すように、外縁の全体に下方へ向けて突き出して設けられるリブ１２１と、リブ１２１に囲まれる天面部１２２と、天面部１２２に設けられる複数の突出部１２３とを備える。なお、図３では上下左右を逆転させて図１に示す蓋１０３を取り外した状態を示しており、図３では同図の矢印で示すように、図１とは上下左右が逆転している。
【００３２】
複数の突出部１２３は、図３に示すように、左右方向に８個並設される。各突出部１２３は、蓋１０３が収納トレイ１０２に取り付けられた場合に、配置部１０６の各々の延設部１１３内の空間に嵌るように、配置部１０６の各々に対応する前後左右の位置に設けられる。
【００３３】
詳細には、各突出部１２３は、上方から見た場合に、概ね楕円をなし、配置部１０６において上述のように対をなす延設部１１３が形成する楕円と短軸方向には同じ程度であり、長軸方向にはそれより少し大きい。蓋１０３を収納トレイ１０２に取り付ける場合に、突出部１２３のそれぞれは、配置部１０６の各々に対向し、延設部１１３に圧入される。その結果、各突出部１２３は各対をなす延設部１１３に押接されつつ嵌合する。
【００３４】
各突出部１２３は、図３及び同図のＩ−Ｉ線における断面図である図４に示すように、突出方向の端部（以下、単に「端部」という。）に平面１２６と当接面１２７とを有する。平面１２６は、各突出部１２３の端部の左方部分及び右方部分のそれぞれに設けられた、例えば前後左右に延びる面である。
【００３５】
当接面１２７は、平面１２６の各々間に設けられており、左右方向には対向する切り欠き部１０５ｂ及び１０５ｃの間の距離、すなわち載置部１１１の幅と同じか又はそれよりも長い。当接面１２７は、蓋１０３が収納トレイ１０２に取り付けられた場合に、対向する切り欠き部１０５ｂ及び１０５ｃの間にわたって配置される。当接面１２７は、図３及び図４に示すように、左右の両端から中央にかけて次第に、突出部１２３の突出方向とは逆方向に凹むように湾曲している。
【００３６】
この湾曲は、放物線状、アーチ状、楕円の一部の形状などであってよい。当接面１２７は、突出部１２３の端部に設けられるので、当接面１２７の最も凹んだ部分を天面部１２２より下方に設けることができる。これによって、収納容器１０１の強度を向上させることが可能になり、例えば輸送時の積段によって収納トレイ１０２が破損する可能性を軽減することが可能になる。
【００３７】
なお、各突出部１２３は、上方から見た場合に、概ね楕円をなし、配置部１０６において対をなす延設部１１３が形成する楕円と長軸方向には同じ程度であり、短軸方向にはそれより少し大きくてもよい。また、この場合、各突出部１２３は、平面１２６に相当する部分を有さず、上方から見た場合に概ね楕円の左右両端を短軸方向に沿って切り欠いた形状であってもよい。これらの場合、蓋１０３を収納トレイ１０２に取り付けるときに、突出部１２３のそれぞれは対応する位置にある配置部１０６の延設部１１３に圧入され、各突出部１２３は各延設部１１３と前後方向に嵌合する。
【００３８】
これまで、本発明の一実施形態に係る収納容器１０１の構成について説明した。このような収納容器１０１の収納トレイ１０２及び蓋１０３のそれぞれは、例えばシート状の樹脂を成形することによって製造されてもよいし、射出成形によって製造されてもよい。また、収納トレイ１０２及び蓋１０３のそれぞれが複数の部品の接着などによって組み立てられてもよい。
【００３９】
ここから、収納容器１０１の動作について、図を参照して説明する。
【００４０】
収納トレイ１０２の各配置部１０６には、電子部品１０９の端子を前方へ向けて切り欠き部１１５ａを通過させることで、電子部品１０９の本体が載置部１１１に載置される。収納トレイ１０２の配置部１０６のすべてに電子部品１０９が配置されると、図５に示すように、収納トレイ１０２の上方から蓋１０３が被せられる。
【００４１】
ここで、載置部１１１は上方から見て電子部品１０９の本体よりも大きく、壁部１１２は載置部１１１の外縁の一部に立設されているので、電子部品１０９が収納トレイ１０２の載置部１１１に載置されただけでは、電子部品１０９の本体は載置部１１１の範囲内で移動することができる。
【００４２】
そのため、例えば図６に示すように、電子部品１０９の本体は載置部１１１の中央からずれることがある。なお、図６は、電子部品１０９の本体が配置された配置部１０６の１つを前方から見た拡大断面図であって、電子部品１０９の本体が載置部１１１の中央よりも左方へずれている例を示す。
【００４３】
蓋１０３の収納トレイ１０２への取り付けが開始すると、突出部１２３の各々が下方の配置部１０６の中へ進入する。このとき上述のように、突出部１２３の左右方向の長さは配置部１０６の対をなす延設部１１３間の左右の幅よりもわずかに長い。そのため、樹脂の弾力によって配置部１０６の対をなす延設部１１３は左右方向に少し広がると同時に、突出部１２３は対をなす延設部１１３により左右から押圧される。
【００４４】
電子部品１０９の本体が載置部１１１の中央からずれて載置されている場合、突出部１２３が対をなす延設部１１３との摩擦力に抗して圧入されると、突出部１２３の当接面１２７は、電子部品１０９の本体の上面の左右いずれかの辺に当接する。図７には、この状態の一例として、図６の状態から突出部１２３が下方へ圧入されて、突出部１２３の当接面１２７が、電子部品１０９の本体の上面の左方の辺に当接した状態を示す。
【００４５】
突出部１２３の当接面１２７が電子部品１０９の本体の上面の左右いずれかの辺に当接した後に、突出部１２３がさらに圧入されると、電子部品１０９の本体は、突出部１２３の当接面１２７に押されて、載置部１１１の中央へ移動する。図８にはこの途中の状態の一例として、図７の状態から突出部１２３が下方へさらに圧入されることによって、電子部品１０９の本体が図７の状態よりも載置部１１１の中央へ近付けられた状態を示す。
【００４６】
突出部１２３がさらに圧入されて、蓋１０３が収納トレイ１０２に完全に取り付けられると、電子部品１０９の本体は載置部１１１の中央に位置付けられ、突出部１２３の当接面１２７は、電子部品１０９の本体の上面の左右両辺の対向する部分に当接する。図９には、電子部品１０９の本体が載置部１１１の中央へ位置づけられ、その上面の左右両辺が突出部１２３の当接面１２７に当接した状態を示す。
【００４７】
このように、電子部品１０９の本体が載置部１１１の中央に載置された場合だけでなく、その中央からずれて載置された場合であっても、湾曲した突出部１２３の当接面１２７によってその中央へ位置付けられ、左右方向の移動ができないように固定される。また、電子部品１０９の本体は、上下には載置部１１１と突出部１２３の当接面１２７とによって挟まれているため、上下方向の移動ができないように固定される。前後方向には、電子部品１０９の本体は壁部１１２により移動が制限されている。したがって、蓋１０３が取り付けられた収納トレイ１０２では、その内部に収納された電子部品１０９は、すべての方向の移動が制限されている。電子部品１０９を上方から押さえつけるクッション材を蓋１０３の天面部１２２に設けるなどしなくとも、収納容器１０１に電子部品１０９の移動を規制して収容することが可能になる。
【００４８】
輸送中の収納トレイ１０２には蓋１０３が取り付けられる。そのため、本発明の一実施形態に係る収納トレイ１０２によって、輸送中の振動、衝撃などによって電子部品１０９が収納トレイ１０２の中で散らばったり、損傷したりする可能性を低減することが可能になる。
【００４９】
また、突出部１２３が延設部１１３と圧入されて嵌合しているので、輸送中の振動、衝撃などによって収納トレイ１０２から蓋１０３が容易に外れることがない。そのため、収納容器１０１にて電子部品１０９の移動が規制されたままで維持することができ、輸送中に電子部品１０９が散らばったり、損傷したりする可能性を低減することが可能になる。
【００５０】
さらに、収納トレイ１０２から電子部品１０９を取り出す場合には、蓋１０３を外すだけで、電子部品１０９は配置部１０６において一定の範囲で移動できるようになる。人が取り出す場合には、延設部１１３へ指を入れて電子部品１０９の本体を容易に挟持して取り出すことができる。装置などが取り出す場合には、ピンセットなどの挟持具の先端を延設部１１３へ入れて電子部品１０９の本体を容易に挟持して取り出すことができる。したがって、本発明の一実施形態に係る収納トレイ１０２によって、収納トレイ１０２の配置部１０６から電子部品１０９を容易に取り出すことが可能になる。
【００５１】
以上、本発明の一実施形態について説明したが、本発明はこれに限定されない。
【００５２】
例えば、実施形態では、図６に示すように左右方向に、収納される電子部品１０９より載置部１１１が長く、その結果、電子部品１０９の本体が配置部１０６内において左右方向に移動できる例を示した。しかし、電子部品１０９の本体と壁部１１２との間に、配置部１０６に配置された電子部品１０９を容易に取り出すことができる程度のすき間ができるように、載置部１１１及び壁部１１２が設けられてもよい。
【００５３】
これによっても、実施形態と同様に、収納トレイ１０２に蓋１０３を取り付けたときには電子部品１０９の位置は固定されて、輸送中の衝撃や振動で電子部品１０９が収納容器１０１内で散らばったりして、損傷する可能性を低減することが可能になる。同時に、蓋１０３を外すと、収納トレイ１０２の配置部１０６から電子部品１０９を容易に取り出すことが可能になる。
【００５４】
例えば、収納トレイ２０２ａ，２０２ｂの一変形例に係る右端に位置する配置部２０６ａ，２０６ｂの外観斜視図を、図１０及び図１１に示す。
【００５５】
図１０では、対をなす延設部２１３ａの各々が、上方から見た場合に、同じ矩形をなす例を示す。
【００５６】
図１１では、対をなす延設部２１３ｂの各々が、上方から見た場合に、載置部２１１の前後方向の全長にわたって左右に同じ形状で張り出す例を示す。例えば、配置部２０６ｂは、載置部２１１の前端及び後端の辺の左端に左の切り欠き部２１５ｂを有し、載置部２１１の前端及び後端の辺の右端に右の切り欠き部２１５ｃを有する。左の延設部２１３ｂは、楕円を長軸で２等分した左側の形状をなす底面と、左の切り欠き部１１５ｂの各々の間を接続する壁面とで囲まれた空間を形成する。同様に、右の延設部２１３ｂは、同じ楕円を長軸で２等分した右側の形状をなす底面と、右の切り欠き部１１５ｂの各々の間を接続する壁面とで囲まれた空間を形成する。
【００５７】
例えば、突出部１２３の変形例を、図１２及び図１３に示す。両図は図４と同様に前方から蓋３０３ａ，３０３ｂを前方から見た断面図である。
【００５８】
図１２では、突出部３２３ａの当接面３２７が、実施形態の湾曲に代えて、左右の両端から中央にかけて次第に凹むように屈曲する例を示す。すなわち、この当接面３２７は、前方から見た場合に、左右の両端から中央にかけて延びる直線が中央において屈曲しており、Ｖ字型をなす。
【００５９】
図１３では、実施形態では配置部１０６に対応付けられた１つの突出部１２３が、左右の対をなす突出部３２３ｂにより構成される例を示す。図１３に示す例では、対をなす突出部３２３ｂの各々は、実施形態に係る突出部１２３が有する当接面１２７の一部を先端に有する。
【００６０】
詳細には、突出部３２３ｂの左側は、蓋３０３ｂが収納トレイ１０２に取り付けられた場合に電子部品１０９の本体の上面の左辺と当接する部分から実施形態に係る当接面１２７の左端までを少なくとも含む。突出部３２３ｂの右側は、上述の左側と対称をなし、蓋３０３ｂが収納トレイ１０２に取り付けられた場合に電子部品１０９の本体の上面の右辺と当接する部分から実施形態に係る当接部の右端までを少なくとも含む。
【００６１】
本発明は、実施形態、変形例又はそれらと組み合わせた態様を含み、それらと均等な技術的範囲をも含む。
【符号の説明】
【００６２】
１０１  収納容器
１０２，２０２ａ，２０２ｂ  収納トレイ
１０３，３０３ａ，３０３ｂ  蓋
１０６，２０６ａ，２０６ｂ  配置部
１０７  収容部
１０９  電子部品
１１１，２１１  載置部
１１２  壁部
１１３，２１３ａ，２１３ｂ  延設部
１１５ａ，１１５ｂ，１１５ｃ  切り欠き部
１２３，３２３ａ，３２３ｂ  突出部
１２６  平面
１２７，３２７  当接面
【図１】
0005814832.tif 000002
【図２】
0005814832.tif 000003
【図３】
0005814832.tif 000004
【図４】
0005814832.tif 000005
【図５】
0005814832.tif 000006
【図６】
0005814832.tif 000007
【図７】
0005814832.tif 000008
【図８】
0005814832.tif 000009
【図９】
0005814832.tif 000010
【図１０】
0005814832.tif 000011
【図１１】
0005814832.tif 000012
【図１２】
0005814832.tif 000013
【図１３】
0005814832.tif 000014